(57)【要約】【課題】  選択したコンテンツを最後まで再生できるように再生時間を延ばすことができるバッテリ駆動式再生装置を得ることを目的とする。【解決手段】  バッテリ２０の残量を検出してバッテリ残量情報ＲＰを出力するバッテリ残量検出手段１４と、コンテンツのデータからプロパティ情報を抽出し、プロパティ情報からコンテンツの再生時間ＰＴを算出する再生時間算出手段１５と、当該装置内の消費電力を算出し、消費電力情報ＲＰを出力する消費電力算出手段１５と、消費電力情報ＥＰとバッテリ残量情報ＲＰとから推算したコンテンツの再生可能時間ＥＴと、再生時間ＰＴとを比較し、再生可能時間ＥＴが再生時間ＰＴより短い場合に、消費電力ＥＰを低減させるための所定の省電力モードでの動作制御を行う制御手段１５とを備える【選択図】    図１
2008311712.tif 000002
【特許請求の範囲】
【請求項１】
バッテリの残量を検出してバッテリ残量情報を出力するバッテリ残量検出手段と、
符号化されたコンテンツのデータを出力するコンテンツデータ出力手段と、
前記コンテンツのデータを再生用の信号に復号化する復号化手段と、
前記復号化された再生用の信号により前記コンテンツを再生する再生手段と、
前記コンテンツのデータからプロパティ情報を抽出し、前記プロパティ情報から前記コンテンツの再生時間を算出する再生時間算出手段と、
当該装置内の消費電力を算出し、消費電力情報を出力する消費電力算出手段と、
前記消費電力情報と前記バッテリ残量情報とから推算した前記コンテンツの再生可能時間と、前記再生時間とを比較し、前記再生可能時間が前記再生時間より短い場合に、前記消費電力を低減させるための省電力モードでの動作制御を行う制御手段と、
を備えてなるバッテリ駆動式コンテンツ再生装置。
【請求項２】
前記省電力モードでは、前記再生可能時間が前記再生時間以上であり、かつ前記再生時間に等しくなるように当該装置内の各機器の動作を設定することを特徴とする請求項１に記載のバッテリ駆動式コンテンツ再生装置。
【請求項３】
前記制御手段は、前記各機器の動作設定の組合せ毎に予め算出される消費電力値を保持するＬＵＴを有し、
前記消費電力算出手段は前記各機器の動作の設定値に基づいて前記ＬＵＴを参照し、前記消費電力を算出することを特徴とする請求項２に記載のバッテリ駆動式コンテンツ再生装置。
【請求項４】
前記省電力モードでは、前記再生手段における映像出力の輝度の抑制、および、または音声出力の音量の抑制により、前記消費電力を減少させることを特徴とする請求項１ないし３のいずれかに記載のバッテリ駆動式再生装置。
【請求項５】
前記省電力モードでは、前記復号化手段における復号化データサイズの縮小、および、またはフレームレートの低減により、前記消費電力を減少させることを特徴とする請求項１ないし３のいずれかに記載のバッテリ駆動式再生装置。
【請求項６】
前記コンテンツデータ出力手段は、通信ネットワークを経由して外部から伝送されるコンテンツを受信するＩ／Ｆ受信手段であり、
前記再生時間算出手段は、前記Ｉ／Ｆ受信手段により受信したコンテンツを構成するデータパケットのヘッダ部から、前記プロパティ情報を抽出することを特徴とする請求項１ないし請求項５のいずれかに記載のコンテンツ受信端末。
【発明の詳細な説明】
【技術分野】
【０００１】
この発明は、バッテリ駆動によるコンテンツ再生装置に関するものである。
【背景技術】
【０００２】
従来のバッテリ駆動式再生装置では、再生時間の長いコンテンツを再生する場合、バッテリ切れによって再生が途中で終了してしまうことがあった。一方、バッテリ駆動式のカメラの分野では、バッテリの容量（残量）を検出し、バッテリ残量が所定値以下の場合には、カメラを駆動させる間の画像出力を停止して、バッテリの消耗を抑制するようにしたネットワークカメラが提案されている。（例えば特許文献１参照。）
【０００３】
【特許文献１】特開２００７−１３２７８号公報（段落００１６、第１図）
【発明の開示】
【発明が解決しようとする課題】
【０００４】
しかしながら、上述したようにバッテリの残量によって動作を制御する方法を再生装置に用いる場合、所定の再生時間を想定した上で、省電力モードに移行すべきバッテリ残量を規定することになる。そのため、バッテリ残量が低下すれば、再生するコンテンツの再生時間に無関係に動作が規定される。そのため、再生時間が想定した値より短いコンテンツの場合は、必要以上に動作が制限されて快適な再生ができなくなる、あるいは再生時間が想定したより長いコンテンツの場合は省電力モードへの移行が遅れて、バッテリ残量が確保できず、最後まで再生ができなくなることがあるといった問題があった。
【０００５】
本発明は、上記のような問題点を解決するためになされたものであり、バッテリ残量と再生時間に応じた動作制御によって、選択したコンテンツの再生時間を延ばすことができるバッテリ駆動式再生装置を得ることを目的とする。
【課題を解決するための手段】
【０００６】
本発明にかかるバッテリ駆動式再生装置は、バッテリの残量を検出してバッテリ残量情報を出力するバッテリ残量検出手段と、符号化されたコンテンツのデータを出力するコンテンツデータ出力手段と、前記コンテンツのデータを再生用の信号に復号化する復号化手段と、前記復号化された再生用の信号により前記コンテンツを再生する再生手段と、前記コンテンツのデータからプロパティ情報を抽出し、前記プロパティ情報から前記コンテンツの再生時間を算出する再生時間算出手段と、当該装置内の消費電力を算出し、消費電力情報を出力する消費電力算出手段と、前記消費電力情報と前記バッテリ残量情報とから推算した前記コンテンツの再生可能時間と、前記再生時間とを比較し、前記再生可能時間が前記再生時間より短い場合に、前記消費電力を低減させるための省電力モードでの動作制御を行う制御手段と、を備えるようにした。
【発明の効果】
【０００７】
本発明によれば、バッテリの残量を検出してバッテリ残量情報を出力するバッテリ残量検出手段と、コンテンツのデータからプロパティ情報を抽出し、前記プロパティ情報から前記コンテンツの再生時間を算出する再生時間算出手段と、当該機器内の消費電力を算出し、消費電力情報を出力する消費電力算出手段と、前記消費電力情報と前記バッテリ残量情報とから推算した前記コンテンツの再生可能時間と、前記再生時間とを比較し、前記再生可能時間が前記再生時間より短い場合に、前記消費電力を低減させるための所定の省電力モードでの動作制御を行う制御手段と、を備えることにより、バッテリ残量と再生時間に応じた動作制御によって、選択したコンテンツの再生時間を延ばすことができるバッテリ駆動式再生装置を得ることができる。
【発明を実施するための最良の形態】
【０００８】
実施の形態１．
図１〜図６は、本発明の実施の形態１に係るバッテリ駆動式コンテンツ再生装置を説明するためのもので、図１はバッテリ駆動式コンテンツ再生装置のブロック図、図２はバッテリ駆動式コンテンツ再生装置の動作中の画面表示の例を示す図、図３は動作制御を示すフローチャート、図４はバッテリ駆動式コンテンツ再生装置の動作中の画面表示の例を示す図、図５は省電力動作をするために装置内部に保持した機器の設定動作の組合せと消費電力値のＬＵＴの例を示す図、図６はバッテリ駆動式コンテンツ再生装置の動作中の画面表示の例を示す図である。
【０００９】
図１において、バッテリ駆動式再生装置１０は、バッテリ２０からの電力により駆動されるもので、コンテンツを蓄積するコンテンツ蓄積部１１、コンテンツ蓄積部１１に蓄積されているコンテンツを復号処理し、映像音声信号を生成するデコーダ部１２、デコーダ部１２で復号処理されたコンテンツの映像表示と音声出力を行う映像音声出力部１３、バッテリ２０のバッテリ残量を検出する電力残量検出部１４、および各部を制御するシステム制御部１５を有している。なお、本実施の形態では、バッテリ２０は図示しないバッテリホルダに保持され、図示しない電源スイッチを介してバッテリ駆動式コンテンツ再生装置を構成する各構成に電力を供給している。以下、詳細を説明する。
【００１０】
コンテンツデータ出力手段であるコンテンツ蓄積部１１はメモリで構成され、映像や音声データを含むコンテンツを蓄積している。そして、システム制御部１５の指令により、蓄積されたコンテンツのデータをデコーダ部１２に出力する。
【００１１】
復号化手段であるデコーダ部１２は、システム制御部１５の指示に従い、コンテンツ蓄積部１１から出力されたコンテンツのデータを所定の方法によりデコード（復号化）し、復号化した映像音声信号を映像音声出力部１３に伝送する。例えば、蓄積されたコンテンツのデータがＭＰＥＧ２形式で圧縮符号化されている場合、デコーダ部１２では、ＭＰＥＧ２に規定された方法によりデータの復号化処理を行い、データから映像音声信号を生成して、生成した映像音声信号を映像音声出力部１３に出力する。
【００１２】
また、デコーダ部１２は、通常はコンテンツのヘッダ部等に記載されている標準画像サイズや標準フレームレートに合わせて復号化処理を行う。また、画像サイズを標準画像サイズよりも縮小、つまり画像の画素数を減じて復号化するダウンコンバート処理や、フレームレートを標準フレームよりも下げて復号化するフレーム間引き処理を行う機能も有している。これらダウンコンバート処理やフレーム間引き処理を実行する場合は、標準的な復号化処理を実行するときよりも復号化処理を行うデータ量が減少して消費電力が低減するので、後述する省電力モードでは、システム制御部１５の指示に従い、これらの機能を用いて復号化処理を実行する。
【００１３】
再生手段である映像音声出力部１３は、システム制御部１５からの指示に従い、デコーダ部１２から出力された映像音声信号を表示出力する。
【００１４】
バッテリ残量検出手段である電力残量検出部１４は、バッテリ２０の充放電回数ＮＣをカウントするとともに充放電回数ＮＣを保持し、さらにバッテリ２０からの電流値ＢＩを測定して、バッテリ２０の充放電毎に充電直後からの電流積算値ＴＢＩを保持している。そして、システム制御部１５の指示により、充放電回数ＮＣと電流積算値ＴＢＩとに基づいてバッテリ２０のバッテリ残量（電力量）ＲＥを算出し、算出したバッテリ残量ＲＥをシステム制御部１５に出力する。
【００１５】
システム制御部１５は、コンテンツデータ出力手段から出力されたコンテンツのデータから抽出したプロパティ情報をもとにコンテンツの再生時間を算出する再生時間算出手段として機能すると共に、バッテリ駆動式コンテンツ再生装置の機器内の消費電力を算出する消費電力算出手段、および機器の省電力動作の制御を行う制御手段としても機能する。
【００１６】
再生時間算出手段としてのシステム制御部１５は、コンテンツ蓄積部１１に蓄積されているコンテンツの種類やファイルフォーマットに応じた方法により、各コンテンツの再生時間、データレート、画面サイズ、ストリームの種類などのプロパティ情報を抽出する。これは、コンテンツのプロパティ情報が格納されている場所はコンテンツの種類やファイルフォーマットによって異なり、場合によっては必要なプロパティ情報が格納されていない場合もあるからである。例えば、再生時間そのものの情報が格納されていない場合もあるが、この場合、単位時間あたりに何枚のフレームを表示するかを指定するフレームレートと、コンテンツ中の総フレーム数の情報を取得し、総フレーム数をフレームレートで除することにより再生時間として算出することができる。また、例えば、ＡＶＩ（Audio Video Interleave）フォーマットであれば、１フレームあたりの表示時間を示すｄｗＭｉｃｒｏＳｅｃＰｅｒＦｒａｍｅフィールドと、総フレーム数を示すｄｗＴｏｔａｌＦｒａｍｅｓフィールドを取得し、取得したｄｗＭｉｃｒｏＳｅｃＰｅｒＦｒａｍｅフィールドとｄｗＴｏｔａｌＦｒａｍｅｓフィールドとの積により再生時間として算出することができる。
【００１７】
消費電力算出手段としては、本装置内の映像音声出力部１３やデコーダ部１２といった各機器の動作設定や再生するコンテンツの内容（輝度、音量等）に応じて、装置内の消費電力を算出する。なお、消費電力の算出については、各機器の動作設定値によらず、実際のバッテリの消費電力（実際は電流値）を測定する測定部を備え、測定値に基づいて算出するようにしてもよい。
【００１８】
そして、システム制御手段としては、消費電力算出手段から出力された消費電力情報とバッテリ残量検出部１４に指令して得られたバッテリ残量ＲＥとから推算される再生可能時間と、再生時間算出手段で算出したコンテンツの再生時間とを比較し、再生時間が再生可能時間よりも短い場合は、所定の省電力モードで各機器の動作を制御して、機器内の消費電力を低減して再生可能時間を伸長させ、コンテンツを最後まで再生できるように装置内の各部を制御する。以下、省電力モードに関する制御について詳細に説明する。
【００１９】
バッテリ駆動式コンテンツ再生装置の図示しない電源を入れると、システム制御部１５は、コンテンツ蓄積部１１に蓄積されているコンテンツのプロパティ情報のうち、コンテンツ名情報（またはコンテンツＩＤ）と再生時間情報を抽出する。そして、図２に示すようにコンテンツ名情報（またはコンテンツＩＤ）と再生時間情報が入ったコンテンツリストを映像音声出力部１３に表示させる。図２では、コンテンツ１の再生時間は１時間４０分、コンテンツ２の再生時間は５５分、コンテンツ３の再生時間は２時間３０分であることを示している。
【００２０】
ここで、ユーザが図示しない操作入力部を操作して、表示されたコンテンツリストから視聴したいコンテンツを選択すると、システム制御部１５は図３に示すフローチャートに従って動作する。
【００２１】
まず、選択されたコンテンツのプロパティ情報を抽出する（Ｓ１１０）。つぎに、抽出したプロパティ情報、および現在設定されている映像出力の輝度設定値、音声出力の音量設定値から選択されたコンテンツを再生するのに必要な消費電力ＥＰを算出する。例えば、コンテンツのデータレート、画像サイズ、フレームレート等の各情報によりデコーダ部１２の消費電力ＤＰを算出し、映像出力の輝度設定値、音声出力の音量設定値から平均的な映像音声出力部１３の消費電力ＯＰを算出する。そして、他の構成機器の消費電力と合算して装置全体の消費電力ＥＰを算出する。
【００２２】
つぎに、ステップＳ１２０において、バッテリ残量検出部１４にバッテリ残量ＲＥを算出して出力するよう指令し、バッテリ残量検出部１４から出力されたバッテリ残量ＲＥをステップＳ１１０で算出した消費電力ＥＰで除することにより再生可能時間ＥＴを算出する。このとき、バッテリ残量ＲＥは厳密には電気量（Ｃ）を基準とした値であり、電力量とするためにはバッテリ２０の放電電圧Ｖを乗じた値を使用することになる。電池では、放電電圧Ｖは放電電流Ｉの増加に伴って小さくなるので、消費電力ＥＰが大きいほど放電電圧Ｖは小さくなる。そのため同じ電気量が残っていても、消費電力ＥＰが大きい場合には利用できる電力量は小さくなる。そこで、システム制御部１５では、バッテリ残量検出部１４から出力されたバッテリ残量ＲＥの値を消費電力ＥＰの値に応じて修正することで、より正確な再生可能時間ＥＴを算出することができる。
【００２３】
そして、再生可能時間ＥＴとプロパティ情報から算出したコンテンツの再生時間ＰＴを比較（Ｓ１３０）する。なお、コンテンツについてはひとつだけではなく、一度に複数選択できるようにし、選択した各コンテンツの再生時間の合計を再生時間ＰＴとし、再生可能時間ＥＴと比較するようにしてもよい。
【００２４】
このとき、再生可能時間ＥＴがコンテンツの再生時間ＰＴ以上であれば、コンテンツを最後まで再生できると判断し、ステップ１４０に進んで選択したコンテンツの再生を開始する。
【００２５】
一方、再生可能時間ＥＴがコンテンツの再生時間ＰＴより短い場合、コンテンツを最後まで再生することができないと判断し、ステップ１５０に進んで省電力モードで再生するか否かをユーザに選択させる。
【００２６】
ステップ１５０では、図４に示すような省電力モードに移行するか否かを選択するための画像を映像音声出力部１３に表示させる。図４では、Ａ：現状の設定で再生する、Ｂ：省電力モードで再生する、Ｃ：再生を取りやめる、の３つの選択肢を表示している。そして、入力操作部により、選択肢の中のどのモードで制御するかをユーザに選択させ、ユーザの選択した選択肢に従って、次のステップに移行する。ただし、再生可能時間ＥＴがコンテンツの再生時間ＰＴより短い場合に移行すべきモードを事前に設定しておき、コンテンツの選択の度に改めて選択しなくても自動的に次のステップに進むようにしておいてもよい。
【００２７】
ステップ１５０において、ユーザが「Ａ：現状の設定で再生する」モードを選択した場合、ステップ１４０に移行し、選択したコンテンツを標準的な復号化処理により復号化し、現在設定されている輝度設定値と音量設定値により再生する。
【００２８】
「Ｃ：再生をとりやめる」モードを選択した場合、選択したコンテンツの再生を行わずに終了する。このとき、映像音声出力部１３に図２の画像を表示させ、再生を取りやめたコンテンツについて他のコンテンツと色を変えて表示するようにすれば、同じコンテンツを選ぶことを防ぐことができる。
【００２９】
「Ｂ：省電力モードで再生する」モードを選択した場合、ステップ１６０に移行し、映像音声出力部１３での映像の輝度設定値の低減や音声の音量設定値の低減、またはデコーダ部１２での復号化処理においてダウンコンバートによる再生画像サイズの縮小や、フレーム間引きによるフレームレートの低減といった省電力に適した状態に各機器の動作を再設定することにより消費電力ＥＰを低減することができる。これら省電力のための各機器の動作の組合せは特に限定しないが、システム制御部１５は、省電力モードのために再設定された各機器の動作の組合せに対応して算出した消費電力ＥＰＭから再計算した再生可能時間ＥＴＭが選択されたコンテンツの再生時間ＰＴ以上になるように各機器の動作の組合せを決定する。この場合、省電力モードとして望ましい動作の組合せを予め設定し、図５に示すように各機器の動作の組合せと組合せに対応する消費電力値を有するＬＵＴ（Look Up Table）を保持することで、ＬＵＴから最適の動作の組合せを選択するようにしてもよい。なお、ここでの最適の動作の組合せとは、省電力モードを実行することによる再生可能時間ＥＴＭがコンテンツの再生時間ＰＴ以上であって、可能な限りコンテンツの再生時間ＰＴに等しくなる組合せである。このように選択された最適な動作の組合せに動作を再設定することにより、視聴対象となる映像や音声の再生品質の低下を最小限に抑えてコンテンツを最後まで再生できるようコンテンツの再生時間を延ばすことが可能となる。
【００３０】
ステップ１７０では、上記設定した動作の組合せにより、再計算した再生可能時間ＥＴＭが選択されたコンテンツの再生時間ＰＴ以上となった場合、コンテンツを最後まで再生できると判断し、ステップ１４０に移行して設定した動作によりコンテンツの再生を開始する。
【００３１】
一方、省電力モードとして想定された動作の組合せによっても再計算した再生可能時間ＥＴＭが選択されたコンテンツの再生時間ＰＴ以上とならなかった場合、この状態で再生しても最後までコンテンツを再生することができないと判断する。そこで、映像音声出力部１３に図６に示すような画像を表示して、あらためてユーザに実行する動作の選択を行わせる（Ｓ１８０）。図６では、設定した省電力モードにより再計算した再生可能時間ＥＴＭを表示するとともに、ユーザにＤ：省電力モードで再生するか、Ｅ：再生を取りやめるかを選択するための選択肢を表示する。
【００３２】
ユーザが入力操作部を通じて、「Ｄ：省電力モードで再生する」を選択すると、ステップ１４０に移行して設定した動作によりコンテンツの再生を開始する。
【００３３】
一方、「Ｅ：再生をとりやめる」モードを選択した場合、選択したコンテンツの再生を行わずに終了する。このときも、映像音声出力部１３に図２の画像を表示させ、再生を取りやめたコンテンツについて他のコンテンツと色を変えて表示するようにすれば、同じコンテンツを再度選ぶことを防ぐことができる。
【００３４】
なお、上記実施の形態では、コンテンツの再生前に電力残量検出部１４で検出したバッテリ残量ＲＰと、システム制御部１５で算出した消費電力ＥＰの値により、コンテンツの再生可能時間ＥＴを算出し、再生可能時間ＥＴと抽出した再生時間ＰＴの大小を比較してコンテンツを最後まで再生できるか否かを判断した。しかし、消費電力ＥＰ値は再生動作中にとくにコンテンツ中の輝度や音量の変化によって変動し、また、バッテリ残量ＲＰについても検出誤差を考慮すると、一度設定した動作のままで、必ずしも最後まで再生できるとは限らない。そのため、コンテンツ再生中でもシステム制御部１５は、定期的に電力残量検出部で検出するバッテリ残量ＰＲの値を更新し、そのつど、最適な省電力モードに設定しなおすようにしてもよい。
【００３５】
あるいは、バッテリ残量の検出誤差や消費電力ＥＰの変動範囲を考慮に入れて、再生可能時間ＥＴを小さく見積もるようにしてもよい。
【００３６】
また、上述したようにとくに映像音声出力部１３での消費電力ＯＰは、コンテンツ中の輝度や音量によって変動する場合が多いので、コンテンツのデータを所定時間分サンプリングして、平均的な輝度や音量を計測し、計測値に基づいて算出するようにしてもよい。
【００３７】
なお、本実施の形態では、コンテンツ蓄積部１１をメモリで構成する場合について説明したが、ＣＤ、ＤＶＤ、ＳＤカード等の外部記憶媒体の装着部と、これら外部記憶媒体からのデータを読み取る読取装置によって、コンテンツ蓄積部１１を構成するようにしてもよい。
【００３８】
また、デコーダ部１２については、ＭＥＰＧ２に規定された方法で復号化することについて説明したが、コンテンツの形式は上記ＭＰＥＧ２に限定されるものではなく、ＭＰＥＧ１形式、ＭＰＥＧ４形式、ＷＭＶ（Windows Media（マイクロソフト社の登録商標） Video）形式などに対しても復号化できるようにしてよい。この場合、コンテンツのヘッド部に記載されている復号化情報を読み取り、読み取った復号化情報に基づいてデータに最適な復号化処理を行うようにしてもよい。
【００３９】
また、バッテリ残量検出部１４については、正確なバッテリ残量を検出するため、積算電流値ＴＢＩに基づいて電力残量ＲＥを算出する構成について説明したが、電力残量ＲＥに対して電圧が明確に変化する電池を使用する場合、電池電圧ＢＶに基づいてバッテリ２０の電力残量ＲＥを検出するようにしてもよい。
【００４０】
つまり、本発明の実施の形態１によれば、バッテリ２０の残量を検出してバッテリ残量情報ＲＰを出力するバッテリ残量検出手段１４と、符号化されたコンテンツのデータを出力するコンテンツデータ出力手段１１と、コンテンツのデータを再生用の信号に復号化する復号化手段１２と、復号化された再生用の信号によりコンテンツを再生する再生手段１３と、コンテンツのデータからプロパティ情報を抽出し、プロパティ情報からコンテンツの再生時間ＰＴを算出する再生時間算出手段１５と、当該装置内の消費電力を算出し、消費電力情報ＲＰを出力する消費電力算出手段１５と、消費電力情報ＥＰとバッテリ残量情報ＲＰとから推算したコンテンツの再生可能時間ＥＴと、再生時間ＰＴとを比較し、再生可能時間ＥＴが再生時間ＰＴより短い場合に、消費電力ＥＰを低減させるための省電力モードでの動作制御を行う制御手段１５と、を備えたことにより、バッテリ残量が少なくなっても、バッテリ残量と再生時間に応じた動作制御によって、選択したコンテンツの再生時間を延ばし、ひいてはコンテンツを最後まで再生することができるバッテリ駆動式コンテンツ再生装置を得ることができる。
【００４１】
とくに、省電力モードの場合、再生可能時間ＥＴが再生時間ＰＴよりも長く、かつ、再生時間ＰＴに等しくなるような装置内における各機器の動作設定の組合せを選択するようにしたので、コンテンツ再生時の画質や音質といった再生品質の低下を抑えてコンテンツを最後まで再生することができる。
【００４２】
さらに、システム制御部１５は、装置内における各機器の動作設定の組合せ毎に予め算出される消費電力値を保持するＬＵＴを有し、各機器の動作の設定値に基づいてＬＵＴを参照して装置内の消費電力ＥＰを算出するように構成したので、コンテンツ再生に適した動作の組合せでコンテンツの再生時間を延ばすことができる。
【００４３】
また、省電力モードでは、映像音声出力部１３における映像出力の輝度の抑制、音声出力の音量の抑制、デコーダ部１２における復号化データサイズの縮小、およびフレームレートの低減といった消費電力低減の効果が大きな動作設定により、効果的に消費電力を低減し、コンテンツの再生時間を延ばすことができる。
【００４４】
実施の形態２．
上記実施の形態１では、省電力モードにおける各機器の動作の組合せを自動的に選定する（ステップ１６０（図３））場合について説明したが、本実施の形態２では、省電力のための各機器の動作設定の組合せをユーザが任意に設定できるようにした。他の構成については、実施の形態１と同様であり、対応する部分については説明を省略する。
【００４５】
図７は、本実施の形態２におけるバッテリ駆動式コンテンツ再生装置の動作をフローチャートである。図において、ステップ１５０までは実施の形態１と同じであり、ステップ１５０において「Ｂ：省電力モードで再生する」以外の動作を選択する場合も実施の形態１と同様である。
【００４６】
つぎに動作について説明する。
ステップ１５０で「Ｂ：省電力モードで再生する」モードを選択した場合、ステップ１６５に移行する。ステップ１６５では、図８に示すような再生可能時間や消費電力に影響する動作設定値の情報を映像音声出力部１３に表示し、ユーザがコンテンツを最後まで再生するために消費電力ＥＰに影響する動作の設定変更を待つ（Ｓ１８５）。
【００４７】
映像音声出力部１３の表示内容は、コンテンツの再生時間が１時間４０分であるのに対し、再生可能時間が１時間３０分になったこと、動作設定については、輝度が７０、音量が５０、画像サイズがＳＶＧＡ、フレームレートが５０であることを示している。こうした、現在の動作設定状況、および設定変更した動作を示すことで、ユーザの設定変更を円滑化することができる。また、表示内容には図８下側に示すように「Ｄ：省電力モードで再生する」、「Ｅ：再生を取りやめる」といった、次の動作の選択肢も示している。
【００４８】
ここで、ユーザが表示された選択肢を選択するための入力をせず、さらに動作の設定値を変更した場合、ステップ１６５に移行し、その設定に対応した新たな消費電力ＥＰＭを算出し、設定した動作状況と、算出した消費電力ＥＰＭに基づいた再生可能時間ＥＴＭを表示して、待機モード（Ｓ１８５）に移行する。なお、このとき、設定値を変更した項目を他の項目と色を変えたり、矢印を付加したりすることで識別することができる。
【００４９】
そして、ユーザが、「Ｄ：省電力モードで再生する」を選択すると、ステップ１４０に移行して設定した動作により選択したコンテンツの再生を開始する。
【００５０】
一方、「Ｅ：再生をとりやめる」モードを選択した場合、選択したコンテンツの再生を行わずに終了する。このときも、映像音声出力部１３に図２の画像を表示させ、再生を取りやめたコンテンツについて他のコンテンツと色を変えて表示するようにすれば、同じコンテンツを再度選ぶことを防ぐことができる。
【００５１】
つまり、本実施の形態２によれば、省電力モード時に装置内における各機器の動作の設定を任意に設定できるように、設定変更が行われるごとに消費電力ＥＰを再計算して表示するように構成したので、ユーザの好みを反映した再生動作により、コンテンツの再生時間を延ばし、ひいては最後までコンテンツを再生することができるバッテリ駆動式再生装置を得ることができる。
【００５２】
実施の形態３．
図９に本発明の実施の形態３に係るバッテリ駆動式コンテンツ再生装置であるコンテンツ受信端末のブロック図を示す。また、図１０は本実施の形態３のコンテンツ受信端末と、コンテンツ送信端末とでコンテンツを伝送するための通信ネットワークを構成する様子を示すものである。本実施の形態３では、実施の形態１におけるコンテンツ蓄積部の代わりに、通信Ｉ／Ｆ部をコンテンツデータ出力手段として備え、通信ネットワークを介して再生するコンテンツを受信できるようにした。他の構成については実施の形態１と同様であり、対応する部分については説明を省略する。
【００５３】
図９において通信Ｉ／Ｆ部３１は、図１０に示すように通信ネットワーク４１を経由して送信端末４０とコンテンツ伝送ならびにデータ通信を行うものである。
【００５４】
次に動作について説明する。
ここで、送信端末４０内のコンテンツを再生するために、ユーザが図示しない操作入力部を操作すると、システム制御部１５の指令により通信Ｉ／Ｆ部３１が働いて、通信ネットワーク４１を介して、送信端末４０とデータ通信を行い、送信端末４０からコンテンツのリストを入手する。そして入手したリストを映像音声出力部１３に画面表示し、ユーザが表示されたコンテンツリストから視聴したいコンテンツを選択すると、通信Ｉ／Ｆ部３１を介して送信端末４０に選択したコンテンツを伝送するように要求する。
【００５５】
つぎに、図１１に示すような通信シーケンスで送信端末４０からコンテンツが伝送される場合、システム制御部１５は、通信Ｉ／Ｆ部３１で受信したコンテンツから、コンテンツのプロパティ情報を抽出する。一般にコンテンツは複数の連続したデータパケットに分割されて伝送されており、各データパケットは、プロパティ情報を格納しているヘッダ部と、映像や音声情報を符号化したデータを格納しているペイロード部で構成されている。そこで、システム制御部１５は、コンテンツのデータパケットのヘッダ部分を確認し、プロパティ情報を抽出する。プロパティ情報を抽出できれば（（Ｓ１１０（図３））、実施の形態１と同様に図３のフローチャートに従って動作を行う。
【００５６】
これにより、本実施の形態３のように、送信端末４０から通信ネットワーク４１を経由して伝送されるコンテンツを再生する場合においても、選択したコンテンツの再生時間を延ばして最後まで再生することができる。
【００５７】
なお、送信端末４０からの伝送が、図１２に示すような通信シーケンスで行われる場合には、システム制御部１５は、コンテンツとは別にプロパティ情報を取得する。この場合でも、取得したプロパティ情報に、コンテンツの再生時間を算出するための情報が含まれていなかった場合、システム制御部１５はコンテンツのデータパケットのヘッダ部から再生時間の算出に必要なプロパティ情報を抽出して、再生時間を算出する。
【００５８】
なお、この場合も、実施の形態１で述べたように、再生時間を算出するためのプロパティ情報としては、再生時間そのものの情報以外に、データ量の情報とビットレート情報を組合せなど、再生時間を算出するための情報のセットとして抽出してよい。
【００５９】
つまり、本発明の実施の形態３によれば、コンテンツデータ出力手段としてＩ／Ｆ受信手段３１を備え、再生時間算出手段１５は、Ｉ／Ｆ受信手段３１により受信したコンテンツを構成するデータパケットのヘッダ部から、プロパティ情報を抽出するように構成したので、コンテンツを最後まで再生することができる受信端末を得ることができる。
【図面の簡単な説明】
【００６０】
【図１】本発明の実施の形態１におけるバッテリ駆動式コンテンツ再生装置を示すブロック図である。
【図２】本発明の実施の形態１におけるバッテリ駆動式コンテンツ再生装置の動作を示す画面表示例である。
【図３】本発明の実施の形態１におけるバッテリ駆動式コンテンツ再生装置の動作を示すフローチャートである。
【図４】本発明の実施の形態１におけるバッテリ駆動式コンテンツ再生装置の動作を示す画面表示例である。
【図５】本発明の実施の形態１におけるバッテリ駆動式コンテンツ再生装置のＬＵＴを示す図である。
【図６】本発明の実施の形態１におけるバッテリ駆動式コンテンツ再生装置の動作を示す画面表示例である。
【図７】本発明の実施の形態２におけるバッテリ駆動式コンテンツ再生装置の動作を示すフローチャートである。
【図８】本発明の実施の形態２におけるバッテリ駆動式コンテンツ再生装置の動作を示す画面表示例である。
【図９】本発明の実施の形態３におけるバッテリ駆動式コンテンツ再生装置を示すブロック図である。
【図１０】本発明の実施の形態３におけるバッテリ駆動式コンテンツ再生装置および送信端末との通信ネットワーク接続を示す図である。
【図１１】本発明の実施の形態３におけるコンテンツ伝送での通信シーケンスを示す図である。
【図１２】本発明の実施の形態３におけるコンテンツ伝送での通信シーケンスの別の例を示す図である。
【符号の説明】
【００６１】
１０  バッテリ駆動式再生装置、  １１  コンテンツ蓄積部（コンテンツデータ出力手段）、  １２  デコーダ部（復号化手段）、  １３  映像音声出力部（再生手段）、  １４  電力残量検出部（バッテリ残量検出手段）、  １５  システム制御部（制御手段、再生時間算出手段、消費電力算定手段）、  ２０  バッテリ、  ３０  バッテリ駆動式再生装置（コンテンツ受信端末）、  ３１  通信Ｉ／Ｆ部（コンテンツデータ出力手段）、  ４０  送信端末、  ４１  通信ネットワーク、
【図１】
2008311712.tif 000003
【図２】
2008311712.tif 000004
【図３】
2008311712.tif 000005
【図４】
2008311712.tif 000006
【図５】
2008311712.tif 000007
【図６】
2008311712.tif 000008
【図７】
2008311712.tif 000009
【図８】
2008311712.tif 000010
【図９】
2008311712.tif 000011
【図１０】
2008311712.tif 000012
【図１１】
2008311712.tif 000013
【図１２】
2008311712.tif 000014